【事件の表示】
　特許第２９２０８４３号「液晶表示装置」の特許に対する特許異議の申立てについて、次のとおり決定する。
【結　論】
　訂正を認める。
　特許第２９２０８４３号の請求項１乃至４に係る発明の特許を維持する。
【理　由】
１．手続の経緯
　特許第２９２０８４３号の請求項１乃至４に係る発明は、平成３年３月１３日に特許出願され、平成１１年４月３０日にその特許の設定の登録がなされ、その後、シャープ株式会社により特許異議の申立がなされ、取消理由通知がなされ、その指定期間内である平成１２年６月１２日に訂正請求がなされ、再度、取消理由通知がなされ、平成１２年７月１０日に訂正請求がなされ、上記平成１２年６月１２日付け訂正請求が取り下げられたものである。
２．訂正の適否に対する判断
２−１．訂正事項
  （ａ）特許明細書の請求項１「液晶表示素該子と、該液晶表示素子を駆動するＬＳＩが搭載されている複数のフレキシブル基板と、該フレキシブル基板同志の間を電気的に接続する回路基板とを備えた液晶表示装置において、前記回路基板として多層回路基板を用い、前記多層回路基板は、少なくとも前記フレキシブル基板に接続される第１の表面配線が形成された第１配線基板と、第２の表面配線が形成された第２配線基板とからなり、前記第１配線基板と前記第２配線基板との間の内層に設けられた内層配線には電源線またはバイアス配線が配置されていることを特徴とする液晶表示装置。」を「液晶表示素子と、該液晶表示素子の周囲に形成された接続端子と、該接続端子に接続され前記液晶表示素子の辺に沿って並列に配置された複数のフレキシブル基板と、該フレキシブル基板に搭載された、前記液晶表示素子を駆動するＬＳＩと、前記並列に配置された複数のフレキシブル基板同志の間を電気的に接続する回路基板とを備えた液晶表示装置において、前記回路基板として前記液晶表示素子周囲の額縁部分に設けられた多層回路基板を用い、前記多層回路基板は、少なくとも前記フレキシブル基板に接続される入力信号パッドである第１の表面配線が形成された第１配線基板と、第２の表面配線が形成された第２配線基板とからなり、前記第１配線基板と前記第２配線基板との間の内層に設けられた内層配線には電源線またはバイアス配線が配置されていることを特徴とする液晶表示装置。」と訂正する。
　（ｂ）特許明細書の請求項２「液晶表示素子と、該液晶表示素子を駆動するＬＳＩが搭載されている複数のフレキシブル基板と、該フレキシブル基板同志の間を電気的に接続する回路基板とを備えた液晶表示装置において、前記回路基板として多層回路基板を用い、前記多層回路基板は、少なくとも前記フレキシブル基板に接続される第１の表面配線が形成された第１配線基板と、第２の表面配線が形成された第２配線基板とからなり、前記第１配線基板と前記第２配線基板との間の内層に設けられた内層配線には電源線またはバイアス配線が配置され、前記液晶表示素子の背面にバックライトが配置されていることを特徴とする透過型の液晶表示装置。」を「液晶表示素子と、該液晶表示素子の周囲に形成された接続端子と、該接続端子に接続され、前記液晶表示素子の辺に沿って並列に配置された複数のフレキシブル基板と、該フレキシブル基板に搭載された、前記液晶表示素子を駆動するＬＳＩと、前記並列に配置された複数のフレキシブル基板同志の間を電気的に接続する回路基板とを備えた液晶表示装置において、前記回路基板として前記液晶表示素子周囲の額縁部分に設けられた多層回路基板を用い、前記多層回路基板は、少なくとも前記フレキシブル基板に接続される入力信号パッドである第１の表面配線が形成された第１配線基板と、第２の表面配線が形成された第２配線基板とからなり、前記第１配線基板と前記第２配線基板との間の内層に設けられた内層配線には電源線またはバイアス配線が配置され、前記液晶表示素子の背面にバックライトが配置されていることを特徴とする透過型の液晶表示装置。」と訂正する。
２−２．訂正の目的の適否、新規事項の有無及び拡張・変更の存否
  上記訂正事項（ａ）及び（ｂ）は、特許請求の範囲の「液晶表示素子」、「フレキシブル基板」、「多層回路基板」の構成を願書に添付した明細書の【０００６】、【０００９】、【００１０】及び図１の記載に基づいてさらに具体的に限定するものであるから、願書に添付した明細書及び図面に記載された事項の範囲内においてなされたものであり、特許請求の範囲の減縮に該当し、実質的に特許請求の範囲を拡張しまたは変更するものではない。
２−３．訂正の適否に対するむすび
　以上のとおり、上記訂正は、特許法第１２０条の４第２項の規定及び第３項で準用する同法第１２６条第２項及び第３項の規定に適合するので、当該訂正を認める。
３．特許異議の申立てについての判断
　特許異議申立人シャープ株式会社は、本件特許発明は、甲第１号証乃至甲第６号証に記載された発明に基づいて、当業者が容易に発明をすることができたものであるから、特許法第２９条第２項の規定に該当し、特許を取り消すべき旨主張している。
３−１．本件発明
　本件の請求項１乃至４に係る発明は、訂正された明細書の特許請求の範囲の請求項１乃至４に記載された事項により特定される次のとおりのものである。
「【請求項１】
　液晶表示素子と、該液晶表示素子の周囲に形成された接続端子と、該接続端子に接続され前記液晶表示素子の辺に沿って並列に配置された複数のフレキシブル基板と、該フレキシブル基板に搭載された、前記液晶表示素子を駆動するＬＳＩと、前記並列に配置された複数のフレキシブル基板同志の間を電気的に接続する回路基板とを備えた液晶表示装置において、前記回路基板として前記液晶表示素子周囲の額縁部分に設けられた多層回路基板を用い、前記多層回路基板は、少なくとも前記フレキシブル基板に接続される入力信号パッドである第１の表面配線が形成された第１配線基板と、第２の表面配線が形成された第２配線基板とからなり、前記第１配線基板と前記第２配線基板との間の内層に設けられた内層配線には電源線またはバイアス配線が配置されていることを特徴とする液晶表示装置。　
　【請求項２】
　液晶表示素子と、該液晶表示素子の周囲に形成された接続端子と、該接続端子に接続され、前記液晶表示素子の辺に沿って並列に配置された複数のフレキシブル基板と、該フレキシブル基板に搭載された、前記液晶表示素子を駆動するＬＳＩと、前記並列に配置された複数のフレキシブル基板同志の間を電気的に接続する回路基板とを備えた液晶表示装置において、前記回路基板として前記液晶表示素子周囲の額縁部分に設けられた多層回路基板を用い、前記多層回路基板は、少なくとも前記フレキシブル基板に接続される入力信号パッドである第１の表面配線が形成された第１配線基板と、第２の表面配線が形成された第２配線基板とからなり、前記第１配線基板と前記第２配線基板との間の内層に設けられた内層配線には電源線またはバイアス配線が配置され、前記液晶表示素子の背面にバックライトが配置されていることを特徴とする透過型の液晶表示装置。
　【請求項３】
　前記電源線またはバイアス配線は、前記第１及び第２の表面配線より線幅の広い配線であることを特徴とする請求項１あるいは２に記載の液晶表示ｓ
　【請求項４】
　前記多層回路基板と前記バックライトとが同一のケース内に収納されたことを特徴とする請求項２に記載の表示装置。」
３−２．甲各号証記載の発明
　甲第１号証：特開昭６２−２８５４９５号公報には、内層電源・グランド層を有する多層プリント配線板に関する発明が記載されている。
　甲第２号証：特開昭６２−１５８９２号公報には、多層プリント基板の内層電源パターンに関する発明が記載されている。
　甲第３号証：特開昭６１−６８９５号公報には、内層に電源・グランド回路を有する内層抵抗体付き多層印刷配線板に関する発明が記載されている。
　甲第４号証：特開平１−１４０７９５号公報には、電源・地気層となる内層板を有し、表裏面に外層導体層を有する多層印刷配線板に関する発明が記載されている。
  甲第５号証：電子材料　１９８６年４月号　第４９頁乃至第５０頁には、外層回路を含め、導体層が３層以上の多層プリント配線板の内層に接地層及び電源層を設け、外層を信号層としたものが記載されている。
  甲第６号証：特開昭６０−１４９０７９号公報には、
「１は表示信号を導出する接続端子２を有する多ドットの液晶表示体、３は表面に上記多ドットの液晶表示体を駆動するための複数のフィルム（又はテープ）キャリアタイプのＬＳＩチップ４をインナーボンディングすると共に、モールドし、かつＬＳＩチップ配線を形成したフィルム基板である。ＬＳＩチップ配線は特に上記液晶表示体１の接続端子２と接続用コネクタ９（例えば弾性ゴム）を介して電気的に接続される複数のチップ端子５と、各ＬＳＩチップ間を共通に接続するための共通接続用端子６を有する。接続用コネクタ９は、接続端子２に対し、たて方向には導通するが、接続端子を横切る方向には非導通の異方向性導電部分１０を有している。７は各ＬＳＩチップ４の各共通接続端子６を共通に接続する配線８を形成した回路基板（例えばフィルム基板）である。この回路基板７は、フィルム基板３上に積層され、各ＬＳＩチップ４の共通電極６を共通接続する。・・・第３図は回路構成図であり、表示体駆動用の各ＬＳＩチップ及びフィルム基板上のパターンは同じものが使用され、表示体駆動用の各ＬＳＩチップ４は所定数のセグメントを駆動する。ここで、共通バス１４は、電源ラインやデータラインである。・・・さらに第６図は回路基板５をフィルム基板２に重合し、ＬＳＩチップの共通電極を共通接続した図が示されている。この例では、各駆動用ＬＳＩチップ間のみの共通接続だけでなく両隣の駆動用ＬＳＩチップ間の接続も行っている。」（２頁左上欄７行〜左下欄８行）と記載されている。        　又、第１図及び第２図には、液晶表示体１の辺に沿って形成された接続端子２と、該接続端子に接続され前記液晶表示体の辺に沿って内側に向けて並列に配置された複数のフィルム基板３と、該フィルム基板３に搭載したＬＳＩチップ４と、各ＬＳＩチップの各共通接続端子６を共通に接続する配線８を形成した回路基板７とを備え、フィルム基板３及び回路基板７が液晶表示体の裏面側に配置された液晶表示ユニットが図示されている。
　上記によれば、甲第６号証には、
「液晶表示体の辺に沿って形成された接続端子と、該接続端子に接続され前記液晶表示体の辺に沿って内側に向けて並列に配置された複数のフィルム基板と、該フィルム基板に搭載したＬＳＩチップと、各ＬＳＩチップの各共通接続端子を共通に接続する配線を形成した回路基板とを備え、前記フィルム基板及び回路基板が液晶表示体の裏面側に配置された液晶表示ユニット」の発明が記載されている。
３−４．対比・判断
（請求項１に係る発明について）
　本件の請求項１に係る発明（以下「本件発明１」という）と甲第６号証記載の発明（以下「引用発明」という）とを対比する。
　引用発明の「液晶表示体」、「フィルム基板」、「ＬＳＩチップ」及び「液晶表示ユニット」は、本件発明１の「液晶表示素子」、「フレキシブル基板」、「ＬＳＩ」及び「液晶表示装置」に相当する。そして、引用発明のＬＳＩチップが液晶表示素子を駆動することは自明であるから、両者は「液晶表示素子と、該液晶表示素子の周囲に形成された接続端子と、該接続端子に接続され前記液晶表示素子の辺に沿って並列に配置された複数のフレキシブル基板と、該フレキシブル基板に搭載された、前記液晶表示素子を駆動するＬＳＩと、前記並列に配置された複数のフレキシブル基板同志の間を電気的に接続する回路基板とを備えた液晶表示装置。」で一致し、下記の点で相違する。
　相違点：本件発明１は、回路基板として前記液晶表示素子周囲の額縁部分に設けられた多層回路基板を用い、該多層回路基板は、少なくとも前記フレキシブル基板に接続される入力信号パッドである第１の表面配線が形成された第１配線基板と、第２の表面配線が形成された第２配線基板とからなり、前記第１配線基板と前記第２配線基板との間の内層に設けられた内層配線には電源線またはバイアス配線が配置されているのに対し、引用発明は、フィルム基板及び回路基板が液晶表示体の裏面側に配置され、回路基板がこのような構成を有しない点。
　上記相違点につき検討する。
  一般に、多層配線基板の内層に電源線またはバイアス配線を配置することは上記甲第１号証乃至甲第５号証に記載されているように従来周知であるから、回路基板として、従来周知の多層回路基板を用いることは当業者が容易になしえたものである。
　しかし、液晶表示素子周囲の額縁部分に多層回路基板を設けることまでは、どの甲号証にも記載されておらず、本件発明１は、この構成を備えることにより、透過型液晶表示素子においても、「液晶表示装置の表示画面周囲の幅を狭くでき、表示画面は大きく、その割には表示装置の外形は小さく、軽量、薄型の液晶表示装置が得られる」という明細書記載の格別の効果を奏するものである。
　したがって、本件発明１は、甲第１号証乃至甲第６号証に記載された発明に基づいて当業者が容易に発明をすることができたものであるとすることはできない。
（請求項２に係る発明について）
　請求項２に係る発明（以下「本件発明２」という）は、本件発明１と実質的に同一の構成を有し、さらに液晶表示素子の背面にバックライトが配置されたことを限定した透過型の液晶表示装置である。
　したがって、本件発明２は本件発明１と同様の理由により甲第１号証乃至甲第６号証に記載された発明に基づいて当業者が容易に発明をすることができたものであるとすることはできない。
（請求項３及び４に係る発明について）
　本件発明３は本件発明１又は２の構成を、本件発明４は本件発明２の構成を全て引用し、さらに限定を付加したものである。
　したがって、本件発明３及び４は、本件発明１又は本件発明２と同様の理由により甲第１号証乃至甲第６号証に記載された発明に基づいて当業者が容易に発明をすることができたものであるとすることはできない。
　したがって、特許異議の申立の理由及び証拠によっては、本件請求項１乃至４に係る発明の特許を取り消すことはできない。
　また、他に本件請求項１乃至４に係る発明の特許を取り消すべき理由を発見しない。
　よって、結論のとおり決定する。
【異議決定日】
平成１２年７月１２日（２０００．７．１２）
【訂正の要旨】
　訂正の要旨
　（１）訂正事項ａ
　　特許請求の範囲の請求項１中の記載
　「液晶表示素子と、該液晶表示素子を駆動するＬＳＩが搭載されている複数のフレキシブル基板と、該フレキシブル基板同志の間を電気的に接続する回路基板とを備えた液晶表示装置において、前記回路基板として多層回路基板を用い、
　　前記多層回路基板は、少なくとも前記フレキシブル基板に接続される第１の表面配線が形成された第１配線基板と、第２の表面配線が形成された第２配線基板とからなり、前記第１配線基板と前記第２配線基板との間の内層に設けられた内層配線には電源線またはバイアス配線が配置されていることを特徴とする液晶表示装置。」を、特許請求の範囲の減縮を目的として、
「　液晶表示素子と、
該液晶表示素子の周囲に形成された接続端子と、該接続端子に接続され前記液晶表示素子の辺に沿って並列に配置された
該フレキシブル基板に搭載された、前記液晶表示素子を駆動するＬＳＩと、前記並列に配置された複数の
　前記回路基板として
前記液晶表示素子周囲の額縁部分に設けられた
　前記多層回路基板は、少なくとも前記フレキシブル基板に接続される
入力信号パッドである
　（２）訂正事項ｂ
　特許請求の範囲の請求項２中の記載
　「液晶表示素子と、該液晶表示素子を駆動するＬＳＩが搭載されている複数のフレキシブル基板と、該フレキシブル基板同志の間を電気的に接続する回路基板とを備えた液晶表示装置において、前記回路基板として多層回路基板を用い、
　　前記多層回路基板は、少なくとも前記フレキシブル基板に接続される第１の表面配線が形成された第１配線基板と、第２の表面配線が形成された第２配線基板とからなり、前記第１配線基板と前記第２配線基板との間の内層に設けられた内層配線には電源線またはバイアス配線が配置され、
　　前記液晶表示素子の背面にバックライトが配置されていることを特徴とする透過型の液晶表示装置。」を、特許請求の範囲の減縮を目的として、
　「液晶表示素子と、
該液晶表示素子の周囲に形成された接続端子と、該接続端子に接続され、前記液晶表示素子の辺に沿って並列に配置された
該フレキシブル基板に搭載された、前記液晶表示素子を駆動するＬＳＩと、前記並列に配置された複数の
　　前記回路基板として
前記液晶表示素子周囲の額縁部分に設けられた
　　前記多層回路基板は、少なくとも前記フレキシブル基板に接続される
入力信号パッドである
　　前記液晶表示素子の背面にバックライトが配置されていることを特徴とする透過型の液晶表示装置。」と訂正する。
（５４）【発明の名称】
液晶表示装置
（５７）【特許請求の範囲】
　　【請求項１】
　液晶表示素子と、
該液晶表示素子の周囲に形成された接続端子と、該接続端子に接続され前記液晶表示素子の辺に沿って並列に配置された
該フレキシブル基板に搭載された、前記液晶表示素子を駆動するＬＳＩと、前記並列に配置された複数の
前記回路基板として前記液晶表示素子周囲の額縁部分に設けられた多層回路基板を用い、
　前記多層回路基板は、少なくとも前記フレキシブル基板に接続される
入力信号パッドである
　　【請求項２】
　液晶表示素子と、
該液晶表示素子の周囲に形成された接続端子と、該接続端子に接続され、前記液晶表示素子の辺に沿って並列に配置された
前記回路基板として
前記液晶表示素子周囲の額縁部分に設けられた
　前記多層回路基板は、少なくとも前記フレキシブル基板に接続される
入力信号パッドである
　前記液晶表示素子の背面にバックライトが配置されていることを特徴とする透過型の液晶表示装置。
　　【請求項３】
前記電源線またはバイアス配線は、前記第１及び第２の表面配線より線幅の広い配線であることを特徴とする請求項１項あるいは２に記載の液晶表示装置。
　　【請求項４】
前記多層回路基板と前記バックライトとが同一のケース内に収納されたことを特徴とする請求項２に記載の液晶表示装置。
【発明の詳細な説明】
　　　【０００１】
　　【産業上の利用分野】
　本発明は、液晶表示装置の駆動回路部を小型化し、液晶表示装置全体の小型化、表示画面の大型化に適するようにした液晶表示装置に関する。
　　　【０００２】
　　【従来の技術】
　液晶表示素子に直接接続されて走査電極や信号電極を駆動し、液晶表示素子の画面に表示を行なわせるためのＬＳＩなどを含む回路部品は、通常、液晶表示素子と共に其の周囲や裏面に配置され、これらが同一ケース内に収納されて一つの液晶表示装置を構成するようになっている。
　　　【０００３】
　近年、液晶表示素子の表示面が大きくなり、複雑な表示を行なわせるようになるのに伴って、上記回路部品の数量も多くなり、液晶表示装置の表示画面以外の額縁に相当する部分に広い面積が必要となり、液晶表示装置の小型化が困難になって来た。一方、半導体素子を用いて効率よく量産的に電子機器を製造するために、以前から、ＬＳＩなどの半導体素子チップを、其の接続用リードパターンなどを形成させてある映画フィルム状のフレキシブルテープ（フレキシブル基板）上に予め搭載して用いること（ＴＡＢ方式）が行なわれて来た。この方式ではフレキシブル基板に搭載する半導体素子はパッケージの無い所謂チップであって、１個ずつパッケージに封入した場合に比べて小型化には非常に有利である。フレキシブル基板上で、半導体素子チップ側の端子間距離は非常に短いが、フレキシブル基板上の接続用リードパターンによって、他の回路と接続する箇所では通常のパッケージに封入した半導体素子の端子の場合と同程度に広くなっている。液晶表示装置の駆動回路に、小型化のために上記のようなフレキシブル基板上に装着した半導体素子を利用することは、勿論従来から行なわれていたが、ただフレキシブル基板方式を利用するだけでは、上記液晶表示装置の小型化のためには不十分であった。
　　　【０００４】
　このため、液晶表示装置の小型化のために種々の提案が行なわれており、例えば、実開昭６１−１５５８８０号公報には、図４に示すように、上記フレキシブル基板を折り曲げて実装し、表示画面の周囲の額縁部分を狭くすることが開示されている。但し、図４の中で、１は単層の通常の回路基板、２はフレキシブル基板、３は液晶表示素子である。
　　　【０００５】
　　【発明が解決しようとする課題】
　上記従来の小型化技術では、複数のフレキシブル基板上の接続用リードパターンの端子同士を接続して信号を仲介させる回路基板として、基板の表裏に銅箔配線による回路を形成させ、必要に応じて半導体素子も搭載した単層基板が使用されており、この単層回路基板に、信号線、電源線など多数の配線を配置するためには１０〜１５ｍｍの幅が必要で、上記表示画面の周囲外部の額縁が広くなっていた。
　　　【０００６】
　本発明は上記表示画面周囲の額縁部分の幅を狭くした液晶表示装置を提供することを目的とする。
　　　【０００７】
　　【課題を解決するための手段】
　上記目的を達成するために本発明においては、液晶表示素子と此れを駆動するためのＬＳＩが搭載された複数のフレキシブル基板、及びこれらのフレキシブル基板同士の間を電気的に接続する回路基板を備えた液晶表示装置において、前記回路基板として、従来の単層基板の代りに、多層基板を用いることにした。
　　　【０００８】
　　【作用】
　フレキシブル基板の入力信号線を４〜１０本ずつに分割し、それぞれ多層回路基板の各層に配置する。１本の信号線の幅を０．１〜０．３ｍｍとし、各線の間の間隔を０．１ｍｍ以上としても、上記多層回路基板の幅を５ｍｍ以下にすることが出来る。
　　　【０００９】
　　【実施例】
　図１は本発明を反射形液晶表示装置に適用した実施例の平面図である。液晶表示素子３のガラス基板の周囲の接続端子に、駆動用ＬＳＩを搭載したフレキシブル基板２を異方性導電膜により接続し、フレキシブル基板２を多層回路基板１ａに半田付けにより接続する。
　　　【００１０】
　図２は図１中に示すＡ−Ａ’線による多層回路基板１ａの断面図である。また、図５は多層基板内部の接続を示す構造図である。絶縁性基板５の両面に銅箔４を形成し、所定の信号線をエッチング加工により形成したのち接着剤６で張り合わせ、スルーホール９を形成して多層信号線間の接続を行ない、フレキシブル基板の入力信号と対応する回路基板１ａ上の信号線を接続する。本実施例では、多層回路基板１ａの一方の表面には、フレキシブル基板の入力信号のパッドを配置し、他の面には表示データ線、制御信号線を配置し、内層には、電源およびバイアス電圧線を配置した。内層に電源線、バイアス電圧線を設けることにより、これらの線幅を広くすることが可能となり、スルーホール９が貫通するクリアランス１０を設けることも容易になり有効である。
　　　【００１１】
　図３は本発明を透過形液晶表示装置に適用した実施例の断面図である。透過形液晶表示素子３ａに、駆動用ＬＳＩを搭載したフレキシブル基板２を異方性導電膜で接続し、前記フレキシブル基板２に回路基板１ａを半田付けで接続し、背面にバックライト７を実装し、ケース８で固定することにより薄型、軽量で、明るく見易い液晶表示装置が得られる。
　　　【００１２】
　　【発明の効果】
　以上説明したように本発明によれば、回路基板を従来の単層から多層に変えることにより基板の幅を狭くすることが可能となり、液晶表示装置の表示画面周囲の額縁部分の幅を狭くでき、表示画面は大きく、その割には表示装置の外形は小さく、軽量、薄型の液晶表示装置が得られる。
【図面の簡単な説明】
　　【図１】
　本発明を反射形液晶表示装置に適用した実施例の平面図である。
　　【図２】
　同実施例に用いた多層回路基板の断面図である。
　　【図３】
　本発明を透過形液晶表示装置に適用した実施例の断面図である。
　　【図４】
　フレキシブル基板を折り曲げて使用した従来の液晶表示装置の断面図である。
　　【図５】
多層基板内部の接続を示す構造図である。
　　【符合の説明】
　１…（単層）回路基板
　１ａ…多層回路基板
　２…フレキシブル基板
　３…反射形液晶表示素子
　３ａ…透過形液晶表示素子
　４…銅箔
　５…絶縁性基板
　６…接着剤
　７…バックライト
　８…ケース
　９…スルーホール
　１０…クリアランス